(57)【要約】      （修正有）【課題】収納カードを横回動させて、斜め状態としてケースから摘まみ出し易くなる財布を提供する。【解決手段】財布のカード収納ケースを構成する複数枚からなる仕切ポケットの、開口部を挟む左右両側辺に於ける、いずれかの一方の側辺は、ポケット低辺から頂点までの全体を、財布のベースシートに結着した、全体的結着範囲部とし、もう一方の側辺は、それぞれの一枚毎に、ポケット低辺から中途位置までの範囲を、ベースシートに結着した、低辺側の結着範囲部とし、低辺側の結着範囲部からポケット頂辺までの残りの範囲は、ベースシートには結着しない、頂辺側の非結着範囲部とする。もう一方の側辺方向にカードを引下げると、上辺側の非結着範囲部から外れ出たカードが、低辺側の結着範囲部の先端を回動の支点として、斜めに平行回動し、カードが取り出し易くなる。【選択図】図６
0003223915.tif 000002
【実用新案登録請求の範囲】
【請求項１】
▲１▼  カード収納ケース及びカード収納ケース設けた財布に於ける、ある一定幅ずらし重ねて重複した、複数枚からなる仕切りポケット（１）の、ポケットの開口部（８）を挟む左右両側辺の、いずれかの一方の側辺は、重複状態の最後の仕切ポケット（１）の、ポケットの底辺（４）から、重複状態の最初の仕切ポケット（１）の頂点までを、ベース生地（５）に、縫い着又は溶着などの方法で閉着して取り付けた、連続した閉着部（９）とする。
▲２▼  そして、ある一定幅ずらし重ねて重複した、複数枚からなる仕切りポケット（１）の、ポケットの開口部（８）を挟む左右両側辺の、もう一方の側辺は、その、ずらし重ねた一枚一枚毎を、ポケットの低辺（４）から、仕切ポケット（１）の頂点に至る長さに於いて、ポケットの低辺（４）から１ｃｍ前後又は３ｃｍ前後の中途な長さ範囲の閉着の頂点からなる回動支点部（６）、又は、ポケットの低辺（４）から１ｃｍ前後又は３ｃｍ前後の中途なピンポイントの点位置での閉着からなる回動支点部（６）を構成する。
▲３▼  そして、その回動支点部（６）より先の、仕切ポケット（１）の頂点までの残り長さは、ベース生地（５）への閉着がなされない、非閉着部（７）とする。
上記、▲１▼、▲２▼、▲３▼、の構成からなる、カード収納ケース及びカード収納ケースを設けた財布。
【請求項２】
「請求項１」からなるカード収納ケース及びカード収納ケースを設けた財布の、仕切りポケット（１）に於いて、連続した閉塞部（９）で構成された一方辺側の、一枚一枚毎の仕切りポケット（１）の先端の角面を、切り欠き部（１１）としたのを特徴とする、カード収納ケース及びカード収納ケースを設けた財布。
【考案の詳細な説明】
【技術分野】
【０００１】本考案は、カード収納ケース及びカード収納ケースを設けた財布に関する。
【背景技術】
【０００２】近年、買い物や飲食などの決済を、電子カードで支払う人が多くなっていので、多くの人が、カード収納ケースや、カード収納ケースが設けられた財布を使用している。
【考案の概要】
【考案が解決しようとする課題】
【０００３】  カード収納ケース及びカード収納ケースを設けた財布から、カードを取り出す際に、カードを摘まむ指先の窮屈感などもあって、意外と手間取る場合があり、ストレスを感じる場面が多い。
【課題を解決するための手段】
【０００４】  本考案は、カード収納ケース及びカード収納ケースを設けた財布に於いて、一定幅ずらし重ねられた複数枚からなる仕切りポケットの、その一枚一枚毎の、開口部を挟む左右両側辺の、いずれかの一方の側辺の、ポケットの低辺からポケットの頂点に至る長さに於いて、ポケットの低辺を始点とする、１ｃｍ前後から３ｃｍ前後の、中途な範囲の頂点又は中途な点位置を、回動支点部として閉着する。
そして、その回動支点部より先の、仕切ポケットの頂点までの残りの長さ範囲は、開放状態のままの非閉塞部とするのを狙いとする。
【考案の効果】
【０００５】  本考案からなる、カード収納ケース及びカード収納ケースを設けた財布では、仕切りポケットに収納された状態のままのカードの先端を、引き出すことなく、一寸、回動支点部が設けられた方向に、軽く横押しに触れるだけで、回動支点部が、カード横回動の支点となり、尚且つ、先端からの一定範囲が非閉着なので、側辺に干渉されることなく、カードは、瞬時に横回動して、きっちりと窮屈に収納されている状態から開放された斜方向な摘まみ易い状態になるので、簡単にストレス無く、カードを取り出すことが出来るようになる。
【図面の簡単な説明】
【０００６】
【図１】は、カード収納ケース及びカード収納ケースを設けた財布の構成部材である、一枚目の仕切りポケット（１）を、カード収納ケース及びカード収納ケースを設けた財布の、ベースシート（５）に取り付けたのを、平面図で示したものである。なお、一枚目の仕切ポケットに於ける、ポケット開口部（８）は、ベースシート（５）との関係で構成される。
【図２】は、カード収納ケース及びカード収納ケースを設けた財布の構成部材である、二枚目の仕切りポケット（１）を、一枚目の仕切りポケットの上に、ある一定幅でずらし重ねて、ベースシート（５）に取り付けたのを、平面図で示したものである。
【図３】は、カード収納ケース及びカード収納ケースを設けた財布の構成部材である、三枚目の仕切りポケット（１）を、二枚目の仕切りポケットの上に、二枚目と同じ一定幅でずらし重ねて、ベースシート（５）に取り付けた、本考案の請求項一からなる、カード収納ケース及びカード収納ケースを設けた財布を、平面図で示したものである。「図３」で示した、本考案の請求項一からなるカード収納ケース及びカード収納ケースを設けた財布は、仕切りポケット三枚を一つのセットとしたのを示したものである。なお、図面は省略するが、仕切りポケットを、四枚又は五枚を一つのセットとするカード収納ケース及びカード収納ケースを設けた財布も存在するものとする。
【図４】は、本考案の請求項一からなる、カード収納ケース及びカード収納ケースを設けた財布に於ける仕切ポケット（１）に、カード（１０）を、挿入装着したのを、平面図で示したものである。（符号（７）の表記は省略）
【図５】は、本考案の請求項一からなる、カード収納ケース及びカード収納ケースを設けた財布の仕切ポケット（１）に装着されたカード（１０）を、回動支点部（６）を活用して斜めに回動させた状態を、平面図で示したものである。（符号（７）の表記は省略）
【図６】は、カード収納ケース及びカード収納ケースを設けた財布に於ける仕切ポケット（１）の、回動支点部（６）が設けられていない方の、もう一方の側辺の頂点の角を切り落し状態としたのを特徴とする、本考案の請求項二からなる、カード収納ケース及びカード収納ケースを設けた財布を、平面図で示したものである。（符号（７）の表記は省略）なお、本考案は、カード収納ケース単体に於ける考案と、カード収納ケースを設けた財布の考案とを、同一の考案としているのであるが、この図面での説明は、カード収納ケースを設けた財布での態様だけを説明し、カード収納ケース単体での図面は省略してある。
【考案を実施するための形態】
【０００７】  本考案は、カード収納ケース及びカード収納ケースを設けた財布に於ける、カードの出し入れ口とする、ポケットの開口部（８）を、挟む左右両側辺の、いずれかの一方の側辺を、ポケットの底辺（４）から、仕切りポケット（１）の頂点に至る長さに於いて、ポケットの低辺（４）を始点とする、１ｃｍ前後から３ｃｍ前後の中途な長さ範囲の閉着、又は、ポケットの低辺（４）を始点とする１ｃｍ前後から３ｃｍ前後の中途なピンポイントの点位置での閉着で、回動支点部（６）を構成する。そして、その回動支点部（６）から、仕切りポケット（１）の頂点までの、残りの長さ範囲は、開放状態の非閉着部（７）として構成するのを狙いとする。
【第一実施例】
【０００８】  第一実施例は、本考案実用新案の請求項一からなる、カード収納ケース及びカード収納ケースを設けた財布の実施例を示したもので、［図１］で示すように、長方形状からなる仕切りポケット（１）の長手方向又は短手方向の一方辺を、財布（２）の開口部（３）に平行方向で沿わせ置きながら、財布（２）の開口部（３）と反対方向の一方辺を、仕切りポケット（１）の、ポケットの底辺（４）として、カード収納ケース及びカード収納ケースを設けた財布の、ベースシート（５）に、縫い着又は溶着などの方法で閉着する。
そして、仕切りポケット（１）の、ポケットの低辺（４）を挟む左右両側辺の、いずれかの一方の側辺だけを、ポケットの低辺（４）から、仕切りポケット（１）の頂点に至る長さに於いて、ポケットの低辺（４）から１ｃｍ前後又は３ｃｍ前後の中途な長さ範囲をベースシート（５）に、縫い着又は溶着などの方法で閉着し、その閉着の頂点を、回動支点部（６）として構成する。
さらに、その回動支点部（６）から、仕切りポケット（１）の頂点までの、残りの長さ範囲は、開放状態の非閉着部（７）として構成する。
なお、二枚目以降からの仕切りポケット（１）の、ポケットの開口部（８）は、一枚毎にずらす、各ずらし幅が、仕切りポケット（１）の、ポケットの開口部（８）となる。
【０００９】  そして、［図２］で示すように、上記と同じ手順で、以下、二枚目の仕切りポケット（１）を、財布（２）の開口部（３）と反対方向に、ある一定幅でずらし重ねながら、［図１］で示した態様で、ベースシート（５）に、縫い着又は溶着などの方法で閉着して取り付ける。
【００１０】  そして、ある一定幅ずらし重ねた三枚目の仕切りポケット（１）を、［図２］で示した態様で取り付けてから、［図３］で示すように、ポケットの低辺（４）を挟む、もう一方の側辺に於ける、重複して重なった最後の３枚目の仕切りポケット（１）のポケットの底辺（４）から、最初の一枚目の仕切りポケット（１）の先端までを、連続して、ベースシート（５）に、縫い着又は溶着などの方法で連続に閉着して、連続閉塞部（９）とする。
これをもって、本考案の請求項一からなるカード収納ケース及びカード収納ケースを設けた財布としたものである。
【００１１】  なお、回動支点部（６）を構成する方法は、上記した、ある中途な一定範囲を閉着して、その閉着範囲の頂点で構成する方法の他、図面は省略するが、ポケットの低辺（４）から１ｃｍ前後又は３ｃｍ前後の中途なピンポイントの点位置を、縫い着又は溶着などの方法で閉着し、その閉着の点位置を、回動支点部（６）としてもよいものとする。
さらに、中途なピンポイントの点位置からなる回動支点部（６）とは、ピンポイントの点位置だけを、縫い着又は溶着で閉着した状態の閉着点を回動支点部（６）としたもので、ポケットの底辺（４）から回動支点部（６）までの間は、無閉着な開放状態の態様でも一向にかまわない。
【００１２】  それから、仕切りポケット（１）の、セットの枚数を、４枚又は５枚とする場合も、順次、上記と同様になされるものである。
【００１３】  さらに、仕切りポケット（１）の、ポケットの底辺（４）の構成に於いては、実施例では、長方形状で用意された、単なる１枚状態のポケット用生地材の一方辺を、ベースシート（５）に、縫い着又は溶着した構成で、ポケットの底辺（４）としているが、その他、折り重ねた二枚状態で長方形状としたポケット用生地材の、その折れ線を、ポケットの底辺（４）とする仕切りポケット（１）の場合、ポケットの底辺（４）を構成する、縫い着又は溶着は、当然必要のないものであると同時に、製造過程の実施態様も、それぞれに、ポケット用生地材の態様に準じて変転するものである。
【００１４】  又、回動支点部（６）の、ポケットの低辺（４）からの閉着の長さ範囲又は閉着点を、１ｃｍ前後又は３ｃｍ前後の範囲としているが、ずらし重ねて重複させる、仕切ポケット（１）の、そのずらし幅の寸法を、閉着の範囲寸法、又は、閉着の点位置寸法、とするのが最良と思われる。
【第二実施例】
【００１５】  第二実施例は、［図６］で示すように、「請求項１」からなる、カード収納ケース及びカード収納ケースを設けた財布の、仕切りポケット（１）に於いて、連続した閉塞部（９）で閉着された一方辺側の、その一枚一枚毎の仕切りポケット（１）の先端の面を、切り欠き部（１１）とする。
これをもって、本考案の請求項二からなる、カード収納ケース及びカード収納ケースを設けた財布としたものである。
【００１６】  なお、既存の、カード収納ケース及びカード収納ケースを設けた財布でも、仕切りポケット（１）の、一方の側面の頂点の角を切り欠いた態様のものが存在するが、既存のそれは、左右両側辺を全閉塞状態で閉着した仕切りポケット（１）の、左右どちらにでも、角の切り欠き部を設けてもかまわない構成であるのに対し、本考案の請求項二からなる、カード収納ケース及びカード収納ケースを設けた財布に於いては、回動支点部（６）が形成されていない、仕切ポケット（１）の一方辺側に、切り欠き部（１１）を設けなければならない、限定条件、の元に構成されているので、既存の、角切欠きのある存在とは、似て非なる構成である。
【００１７】  それから、カード収納ケース及びカード収納ケースを設けた財布から、カードを出し易くする考案として、開口部を挟む両側辺に於ける一方の側辺を、全て非閉着の開放状態とする、複数の考案も存在するが、それらの考案は、ケースポケットのからの、カードの横スライドを開放るのを目的とするもので、カードを横回動させるのを目的とする、回動支点を設けた本考案とは、根本的に相違するものである。
【符号の説明】
【００１５】１  仕切りポケット
２  財布
３  財布の開口部
４  ポケットの底辺
５  ベースシート
６  回動支点部
７  非閉着部
８  ポケットの開口部
９  連続した閉着部
１０  カード
１１  切り欠き部
１２  二つ折り財布の、折り曲げの位置線
【図１】
0003223915.tif 000003
【図２】
0003223915.tif 000004
【図３】
0003223915.tif 000005
【図４】
0003223915.tif 000006
【図５】
0003223915.tif 000007
【図６】
0003223915.tif 000008
【手続補正書】
【提出日】令和1年8月15日(2019.8.15)
【手続補正１】
【補正対象書類名】実用新案登録請求の範囲
【補正対象項目名】全文
【補正方法】変更
【補正の内容】
【実用新案登録請求の範囲】
【請求項１】
財布のカード収納ケースを構成する複数枚からなる仕切ポケットの、開口部を挟む左右両側辺に於ける、いずれかの一方の側辺は、ポケット低辺からポケット頂点までの長さ範囲の全体を、財布のベースシートに結着した、全体的結着範囲部とする、  そして、その複数枚からなる仕切ポケットの、開口部を挟む、もう一方の側辺は、それぞれの一枚毎に於いて、ポケット低辺から中途な位置までの長さ範囲を、ベースシートに結着した、低辺側の結着範囲部とし、  さらに、そのもう一方の側辺の、それぞれの一枚毎に於ける、低辺側の結着範囲部からポケット頂辺までの残り長さ範囲は、ベースシートには結着しない、頂辺側の非結着範囲部としたのを特徴とする、カード収納ケースを設けた財布。
【手続補正２】
【補正対象書類名】明細書
【補正対象項目名】全文
【補正方法】変更
【補正の内容】
【考案の詳細な説明】
【技術分野】
【０００１】            本考案は、カード収納ケースを設けた財布に関するものである。
【背景技術】
【０００２】  近年、買い物や飲食などの決済を、電子カードで支払う機会が多くなっていて、カード収納ケースが設けられたタイプの財布が、一般的に多く利用されている。
【考案の概要】
【考案が解決しようとする課題】
【０００３】財布に設けられたカード収納ケースからカードを抜き取る際に、これまでは、収納ケースの仕切ポケットに挿入されたままの状態の、ポケット開口部方向に直線的にカードを抜き出す方法しか無く、しかも、意外と指先で摘まみづらく、取り出す際に手間取る場合が多くストレス感があつた。
【課題を解決するための手段】
【０００４】従来の、カード収納ケースを設けた財布は、カード収納ケースを構成する複数枚からなる仕切りポケットの、開口部を挟む左右の両側辺は、仕切りポケットの低辺から仕切りポケットの頂辺までの、重複した複数での全体の状態を、一律に結着した状態で財布に装着されているが、  本考案の、カード収納ケースを設けた財布では、カード収納ケースを構成する複数枚からなる仕切りポケットの、開口部を挟む左右両側辺のどちらかの一方の側辺を、その仕切りポケット一枚毎のポケット低辺からポケット頂点に至る長さに於いて、ポケット低辺からの中途な位置までの長さ範囲を、ベスシートに結着して、低辺側の結着範囲部とし、  さらに、その一方の側辺に於ける、低辺側の結着範囲部からポケット頂辺までの残りの長さ範囲は、ベスシートに結着しない、上辺側の非結着範囲部とするのを狙いとする。
【考案の効果】
【０００５】  本考案のカード収納ケースを設けた財布は、直線的にカードを引き出すだけではなく、低辺側の結着範囲部を設けた、一方の側辺方向にもカードを引下げると、上辺側の非結着範囲部から外れ出たカードの側面が、低辺側の結着範囲部の先端を回動の支点として、カード全体が平行回動するので、これまでよりも簡単に、カードが摘まみ易く、取り出し易くなる。
【図面の簡単な説明】
【０００６】
【図１】は、カード収納ケースの構成部材である、一枚目の、仕切りポケット（１）を、財布（３）のベースシート（６）に結着したのを、平面図で示したものである。なお、一枚目の仕切ポケット（１）に於けるポケット開口部（９）は、財布（３）のベースシート（６）との関係で構成される。なお、（１３）は、財布（３）の折り曲がり中心線。
【図２】は、カード収納ケースの構成部材である、二枚目の仕切りポケット（１）を、一枚目の仕切りポケット（１）の上面に、ある一定幅ずらし積重してから、財布（３）のベースシート（６）に結着したのを、平面図で示したものである。
【図３】は、カード収納ケースの構成部材である、三枚目の仕切りポケット（１）を、二枚目の仕切りポケット（１）の上面に、二枚目と同じように、ある一定幅ずらし積重してから、財布（３）のベースシート（６）に結着を完了して、本考案の請求項一からなる、カード収納ケースを設けた財布としたのを、平面図で示したものである。本考案の請求項一からなるカード収納ケースを設けた財布は、［図３］で示したように仕切りポケット（１）を、三枚で一つのセットとしたものである。なお、図面は省略するが、仕切りポケット（１）を、四枚又は五枚を一つのセットとする、カード収納ケースを設けた財布も、存在するものとする。
【図４】は、カード三枚用又は四枚用に、折り畳んで仕切りポケットを構成する、どちらかの一方辺が長尺からなる、長尺の仕切ポケット（１１）を、三枚用又は四枚用として、［図１］、［図２］、そして、最終的には［図３］で示した状態に、複数層に折り畳み重ねて、財布（３）のベースシート（６）に結着したのを、平面図で示したものである。なお、図面は省略するが、予め、仕切ポケット（１）、又は、長尺の仕切りポケット（１１）を、仕切ポケット専用のベースシートに予め結着しておいてから、財布のベースシート（６）に、［図３］で示した状態に取り付ける態様でもかまわないものとする。
【図５】は、本考案の請求項一からなる、カード収納ケースを設けた財布に於ける、長尺の仕切ポケット（１１）に、カード（１２）を装填したのを、平面図で示したものである。（頂辺側の非結着範囲部（８）の符号の表記は省略）
【図６】は、本考案の請求項一からなる、カード収納ケースを設けた財布の、長尺の仕切ポケット（１１）に装填されたカード（１２）を、低辺側の結着範囲部（７）の頂点を回動支点として回動したのを平面図で示したものである。（非結着範囲部（８）の符号の表記は省略）
【考案を実施するための形態】
【０００７】  従来のカード収納ケースを設けた財布に於いては、カード収納ケースの構成部材である複数枚からなる仕切ポケットの、開口部を挟む左右の両側辺は、ずらし重ねられた状態の複数枚からなる一連の長さ範囲全体が、一律に全体結着状態で財布のベースシートに結着されているが、  本考案のカード収納ケースを設けた財布に於いては、仕切ポケットの開口部を挟む左右の両側辺のうちの、いずれかの一方の側辺は、ずらして重ねられた複数からなる仕切ポケットの、その一枚一枚毎を、それぞれ、ポケット低辺からの中途な位置までの長さ範囲部分を、縫い着又接着材などで、財布のベースシートに結着して、低辺側の結着範囲部とする、  そして、その一方の側辺に於ける、財布のベースシートに結着した低辺側の結着範囲部から、ポケット頂点までの残り長さ範囲は、財布のベースシートには結着しない開放状態の、上辺側の非結着範囲部とするのを狙いとする。
【第一実施例】
【０００８】  第一実施例は、カード収納ケースの構成部材とする仕切ポケットを、カード一枚の寸法に対応したサイズの、長方形状からなる仕切ポケット（１）を用意する、  そして、［図１］で示すように、カード収納ケースの構成部材とする、長方形状からなる、一枚目の仕切りポケット（１）の、ポケット頂辺（２）を、財布（３）の開口部（４）に、平行方向で沿わせ置いて、財布（３）の開口部（４）と反対方向の一方辺を、仕切りポケット（１）のポケット底辺（５）として、財布（３）のベースシート（６）に、縫い着又は接着材などで結着する、  そして、その仕切りポケット（１）のポケット開口部（９）を挟む、左右両側辺のいずれかの一方の側辺は、ポケット低辺（５）からポケット頂辺（２）に至る長さ範囲に於ける、ポケット低辺（５）からの中途な位置までの長さ範囲部分を、縫い着又は接着材などで、財布（３）のベースシート（６）に結着して、低辺側の結着範囲部（７）とし、尚且つ、その一方の側辺の、低辺側の結着範囲部（７）からポケット頂辺（２）までの残りの長さ範囲は、財布（３）のベースシート（６）には結着しない、上辺側の非結着範囲部（８）とする、  そして、［図２］で示すように、二枚目の仕切りポケット（１）を、財布（３）の開口部（４）とは反対方向に、ある一定幅でずらし重複させながら、［図１］で示した態様で、財布（３）のベースシート（６）に結着する、  そして、［図３］で示すように、ある一定幅でずらし重複させた、三枚目の、仕切りポケット（１）を、［図２］で示した態様で、財布（３）のベースシート（６）に結着してから、最後に、仕切りポケット（１）の開口部（９）を挟む、もう一方の側辺に於いて、重複で重ねられた、３枚目仕切りポケット（１）のポケット底辺（５）から、一枚目の仕切りポケット（１）のポケット頂辺（２）までの、一連の重複された状態での全体の長さ範囲を、財布（３）のベースシート（６）に、縫い着又は接着材などで一律に全体的に結着して、全体的結着範囲部（１０）とする、  これをもって、本考案の請求項一からなる、カード収納ケースを設けた財布の、第一実施例としたものである。  なお、一枚目仕切ポケット（１）のポケット開口部（９）は、一枚目仕切ポケット（１）と、財布（３）のベースシート（６）との関係で構成される。
【第二実施例】
【０００９】  第二実施例は、カード収納ケースを構成する、仕切ポケットを、長手方向又は短手方向の、どちらかの一方辺が、カードの三枚又は四枚の長さの、長尺の仕切ポケット（１１）を用意する、  そして、［図４］で示すように、一方辺が、長尺の仕切りポケット（１１）を、カードの大きさに準じたサイズで折り重ねながら、上下二面の折り重ねからなる内側面の低辺を、ポケット低辺（５）とし、さらに、その上下二面の折り重ねからなる外側面の頂辺を、ポケット頂辺（２）として、財布（３）のベースシート（６）に、規則的な一定幅で、順次ずらし折り重ねながら、［図１］、［図２］、［図３］、で示した状態と同じ態様の、長尺の仕切りポケット（１１）の、開口部を挟む左右両側辺のうちの、いずれかの一方の側辺は、一連の積重された状態での長さ範囲の全体を一律に結着した全体的結着範囲部（１０）として、財布（３）のベースシート（６）に、縫い着又は接着材などで結着する、  そして、複数枚状態に折り重ねられた、長尺の仕切りポケット（１１）の、もう一方の側辺は、長尺の仕切りポケット（１１）の、その一枚一枚毎の、ポケット低辺（５）からポケット頂辺（２）に至る長さ範囲に於ける、ポケット低辺（５）からの中途な位置までの長さ範囲部分を、縫い着又は接着材などで、財布（３）のベースシート（６）に結着して、低辺側の結着範囲部（７）とする、  そしてさらに、その長尺の仕切りポケット（１１）の、一枚ごとの、一方の側辺の、低辺側の結着範囲部（７）から、ポケット頂辺（２）までの残り長さ範囲は、財布（３）のベースシート（６）には結着しない、頂辺側の非結着範囲部（８）とし、これをもって、本考案の請求項一からなるカード収納ケースを設けた財布の、第二実施例としたものである。  このように、第一実施例、及び、第二実施例からなる、本考案のカード収納ケースを設けた財布は、［図５］及び［図６］で示すように、長尺の仕切りポケット（１１）の、頂辺側の非結着範囲部（８）を設けた、一方の側辺方向に、ポケットに装填されたカード（１２）を引き下げてやると、その長尺の仕切りポケット（１１）の、低辺側の結着範囲部（７）の頂点が、カード（１２）の平面回動の支点となり、カード（１２）が、瞬時に軽く平面回動して、摘まみ易く取り出し易い状態となるので、カード取り出しの煩わしさが、従来より格段に改善され、ストレスが解消される、  なお、これまでの説明で、仕切りポケット（１）又は（１１）は、長手方向を開口部に対し横方向で財布に結着しているが、開口部に対し縦方向で財布に結着してもかまわないものである。
【符号の説明】
【００１０】    １    仕切りポケット    ２    ポケット頂辺    ３    財布    ４    財布の開口部    ５    ポケット底辺    ６    ベースシート    ７    低辺側の結着範囲部    ８    頂辺側の非結着範囲部    ９    ポケット開口部    １０  全体的結着範囲部    １１  長尺の仕切りポケット    １２  カード    １３  二つ折り財布の、折り曲がりの中心線
【手続補正３】
【補正対象書類名】図面
【補正対象項目名】全図
【補正方法】変更
【補正の内容】
【図１】
0003223915.tif 000009
【図２】
0003223915.tif 000010
【図３】
0003223915.tif 000011
【図４】
0003223915.tif 000012
【図５】
0003223915.tif 000013
【図６】
0003223915.tif 000014